(57)【要約】【課題】モーターの駆動音や給気口からの風切音を低減させることができる換気装置を提供することを目的とする。【解決手段】外気給気口１７から導入される新鮮外気空気と室内排気吸込口１６から導入される室内汚染空気は電動機６に同一軸にて連結された給気用送風機３と排気用送風機４によりそれぞれ給気流路１と排気流路２を移送され、熱交換器５は給気流路１において給気用送風機３の下流側に配設され、外気給気口１７のすぐ下流に設置された給気フィルター７の中心と給気用送風機オリフィス部３ａの中心は対向した位置に配設された構成としたので、モーターの駆動音や給気口からの風切音を低減させることができる換気装置を提供できる。【選択図】図１
2007212073.tif 000002
【特許請求の範囲】
【請求項１】
室外の空気を室内へ導入する給気流路と室内の空気を室外へ排出する排気流路を備え、前記給気流路には給気用送風機を備え、前記排気流路には排気用送風機を備え、前記給気流路と前記排気流路には空気の熱交換を行う熱交換器を備え、前記給気用送風機と前記排気用送風機は１つの電動機により駆動され、前記給気用送風機に隣接した上流側に給気用フィルターを備え、前記給気用送風機オリフィス部と前記給気用フィルターがほぼ対向して配設された換気装置において、前記熱交換器を前記給気流路における前記給気用送風機の下流側と前記排気流路における排気用送風機の上流側に配設する構成を特徴とする換気装置。
【請求項２】
給気用送風機オリフィス部の中心と給気用フィルターの中心が、対向した位置に配設された構成を特徴とする請求項１に記載の換気装置。
【請求項３】
給気用フィルターは、複数の角穴で構成された捕虫機能を有する構成を特徴とする請求項１または２記載の換気装置。
【請求項４】
捕虫機能は、５０目の平織りのフィルターとした構成を特徴とする請求項３記載の換気装置。
【請求項５】
給気用フィルターは、不織布により形成されたフィルターと捕虫機能を有するフィルターで構成され、不織布の前記フィルターを保持する枠体の不織布の前記フィルターの上流側に捕虫機能としての５０目の平織りのフィルターを一体に形成した構成を特徴とする請求項４記載の換気装置。
【請求項６】
給気用フィルターは、換気装置本体の下面に設けられた点検口より着脱自在な構造とした構成を特徴とする請求項１〜５のいずれかに記載の換気装置。
【請求項７】
点検口は、給気用送風機により導入された外気が屋内に供給される給気口が配設された化粧パネルとした構成を特徴とする請求項６に記載の換気装置。
【請求項８】
化粧パネルの給気口に連通された換気装置本体の開口部を遮蔽板で塞ぎ、給気流路に連通された換気装置本体の側面に設けられた開口部にアダプターを取付けることにより、換気装置本体より離れた位置の給気口から外気を導入する経路をもつ構成を特徴とする請求項７に記載の換気装置。
【請求項９】
換気装置本体より離れた位置の給気口に連通するアダプターに配設された開口部を複数とした構成を特徴とする請求項８に記載の換気装置。
【請求項１０】
化粧パネルには排気用送風機により屋内空気を排出する吸込口が配設されており、吸込口には排気用フィルターが設けられている構成を特徴とする請求項７〜９のいずれかに記載の換気装置。
【発明の詳細な説明】
【技術分野】
【０００１】
本発明は、フィルターを備え、屋外と屋内を連通する通風路の室内側に設けられる換気装置に関する。
【背景技術】
【０００２】
従来、この種の換気装置としては、屋外と室内を連通する通風路内部に防虫構造を設けた換気装置が知られている（例えば、特許文献１参照）。
【０００３】
以下、図６をもとにその構成を説明する。
【０００４】
屋外と室内を連通する通風路内部に、室内の空気を屋外へ排気し、屋外の空気を室内へ給気する換気装置１０１を設け、換気装置１０１内部には外気導入口１０２に、外気に混在した虫やホコリ等の異物を除去する防虫セット１０３が設置され、防虫セット１０３の下流側には熱交素子１０４が配設され、外気導入口１０２より室内に外気を導入させる給気ファン１０５が熱交素子１０４の下流に構成されたものである。
【特許文献１】特開平１１−３２５５３５号公報
【発明の開示】
【発明が解決しようとする課題】
【０００５】
このような従来の換気装置では、室内に外気を供給する給気ファンが給気口の近傍に配設されているため、給気ファンを駆動させるモーターの駆動音や給気口からの風切音の騒音が室内に漏れるという課題があった。
【０００６】
本発明は、このような従来の課題を解決するものであり、モーターの駆動音や給気口からの風切音の騒音を低減させることができる換気装置を提供することを目的とする。
【課題を解決するための手段】
【０００７】
本発明の換気装置は上記目的を達成するために、室外の空気を室内へ導入する給気流路と室内の空気を室外へ排出する排気流路を備え、前記給気流路には給気用送風機を備え、前記排気流路には排気用送風機を備え、前記給気流路と前記排気流路には空気の熱交換を行う熱交換器を備え、前記給気用送風機と前記排気用送風機は１つの電動機により駆動され、前記給気用送風機に隣接した上流側に給気用フィルターを備え、前記給気用送風機オリフィス部と前記給気用フィルターがほぼ対向して配設された換気装置において、前記熱交換器を前記給気流路における前記給気用送風機の下流側と前記排気流路における排気用送風機の上流側に配設するものである。
【０００８】
この手段により、モーターの駆動音や給気口からの風切音を低減させることができる換気装置が得られる。
【発明の効果】
【０００９】
本発明によれば、室外の空気を室内へ導入する給気流路と室内の空気を室外へ排出する排気流路を備え、前記給気流路には給気用送風機を備え、前記排気流路には排気用送風機を備え、前記給気流路と前記排気流路には空気の熱交換を行う熱交換器を備え、前記給気用送風機と前記排気用送風機は１つの電動機により駆動され、前記給気用送風機に隣接した上流側に給気用フィルターを備え、前記給気用送風機オリフィス部と前記給気用フィルターがほぼ対向して配設された換気装置において、前記熱交換器を前記給気流路における前記給気用送風機の下流側と前記排気流路における排気用送風機の上流側に配設することにより、熱交換器を通って外気を導入させることによりモーターの駆動音や給気用送風機による風切音が室内へ漏れるということが低減でき、また、給気用フィルターにより整流化された外気が給気用送風機オリフィス部に導入されることにより給気用送風機への空気流入時の圧力損失を低減させるとともに、給気用フィルターにより外気に混在したゴミ等が捕集されるため熱交換器および給気用送風機の汚れを防ぐことができるという効果のある換気装置を提供できる。
【００１０】
また、給気用送風機オリフィス部の中心と給気用フィルターの中心が、対向した位置に配設されたことにより、外気を給気用フィルターにより整流化し、整流化された外気がそのまま給気用送風機に導入されるので、給気用フィルターと給気用送風機の間の風路における圧力損失を低減することができるという効果のある換気装置を提供できる。
【００１１】
また、給気用フィルターは、複数の角穴で構成された捕虫機能を有することにより、外気に混在するゴミに加え虫などをも捕集することができるという効果のある換気装置を提供できる。
【００１２】
また、捕虫機能は、５０目の平織りのフィルターとしたことにより、容易に捕虫機能を有することができ、捕虫機能による圧力損失を低く抑えることができるという効果のある換気装置を提供できる。
【００１３】
また、給気用フィルターは、不織布により形成されたフィルターと捕虫機能を有するフィルターで構成され、不織布の前記フィルターを保持する枠体の不織布の前記フィルターの上流側に捕虫機能としての５０目の平織りのフィルターを一体に形成したことにより、外気に混在する比較的大きなゴミや虫などを不織布のフィルターの上流で捕集することで不織布のフィルターの目詰まりを防ぎ、２種類のフィルターが一体の枠体に形成されていることにより清掃時のフィルターの取り外しを容易にすることができるという効果のある換気装置を提供できる。
【００１４】
また、給気用フィルターは、換気装置本体の下面に設けられた点検口より着脱自在な構造としたことにより、点検口より給気用フィルターを容易に取り外して清掃できるという効果のある換気装置を提供できる。
【００１５】
また、点検口は、給気用送風機により導入された外気が屋内に供給される給気口が配設された化粧パネルとしたことにより、給気用フィルターの位置から点検口の位置を測定して点検口を施工する必要がなく、容易に点検口を設けることができ、別途給気口の施工が不要となるため施工を簡素化させるという効果のある換気装置を提供できる。
【００１６】
また、化粧パネルの給気口に連通された換気装置本体の開口部を遮蔽板で塞ぎ、給気流路に連通された換気装置本体の側面に設けられた開口部にアダプターを取付けることにより、換気装置本体より離れた位置の給気口から外気を導入する経路をもつことにより、広い空間においても効率的な換気ができるという効果のある換気装置を提供できる。
【００１７】
また、換気装置本体より離れた位置の給気口に連通するアダプターに配設された開口部を複数としたことにより、換気装置１台で複数の室内に外気を導入させることできるという効果のある換気装置を提供できる。
【００１８】
また、化粧パネルには排気用送風機により屋内空気を排出する吸込口が配設されており、吸込口には排気用フィルターが設けられていることにより、別途排気口を設ける必要がないため施工が簡素化でき、室内空気に混在するホコリ等を化粧パネルの排気用フィルターにより捕集できるので排気用送風機の汚れを防ぎ、また、清清掃を容易にすることができるという効果のある換気装置を提供できる。
【発明を実施するための最良の形態】
【００１９】
本発明の請求項１記載の換気装置は、室外の空気を室内へ導入する給気流路と室内の空気を室外へ排出する排気流路を備え、前記給気流路には給気用送風機を備え、前記排気流路には排気用送風機を備え、前記給気流路と前記排気流路には空気の熱交換を行う熱交換器を備え、前記給気用送風機と前記排気用送風機は１つの電動機により駆動され、前記給気用送風機に隣接した上流側に給気用フィルターを備え、前記給気用送風機オリフィス部と前記給気用フィルターがほぼ対向して配設された換気装置において、前記熱交換器を前記給気流路における前記給気用送風機の下流側と前記排気流路における排気用送風機の上流側に配設することにより、熱交換器を通って外気を導入させることによりモーターの駆動音や給気用送風機による風切音が室内へ漏れるということが低減でき、また、給気用フィルターにより整流化された外気が給気用送風機オリフィス部に導入されることにより給気用送風機への空気流入時の圧力損失を低減させるとともに、給気用フィルターにより外気に混在したゴミ等が捕集されるため熱交換器および給気用送風機の汚れを防ぐことができるという作用を有する。
【００２０】
また、請求項２記載の換気装置は、給気用送風機オリフィス部の中心と給気用フィルターの中心が、対向した位置に配設されたことにより、外気を給気用フィルターにより整流化し、整流化された外気がそのまま給気用送風機に導入されるので、給気用フィルターと給気用送風機の間の風路における圧力損失を低減することができるという作用を有する。
【００２１】
また、請求項３記載の換気装置は、給気用フィルターは、複数の角穴で構成された捕虫機能を有することにより、外気に混在するゴミに加え虫などをも捕集することができるという作用を有する。
【００２２】
また、請求項４記載の換気装置は、捕虫機能は、５０目の平織りのフィルターとしたことにより、容易に捕虫機能を有することができ、捕虫機能による圧力損失を低く抑えることができるという作用を有する。
【００２３】
また、請求項５記載の換気装置は、給気用フィルターは、不織布により形成されたフィルターと捕虫機能を有するフィルターで構成され、不織布の前記フィルターを保持する枠体の不織布の前記フィルターの上流側に捕虫機能としての５０目の平織りのフィルターを一体に形成したことにより、給気流路の上流側で虫などを含む比較的大きなゴミを捕集し、下流側で花粉など比較的微細なゴミを捕集することで屋内に供給される外気を浄化することができ、また、不織布で形成されたフィルターの上流側で比較的大きなゴミを捕集することにより不織布で形成されたフィルターの目詰まりを防ぎ、二種類のフィルターが一体の枠体に形成さえていることにより、清掃時におけるフィルターの取り外しを容易にできるという作用を有する。
【００２４】
また、請求項６記載の換気装置は、給気用フィルターは、換気装置本体の下面に設けられた点検口より着脱自在な構造としたことにより、点検口より給気用フィルターを容易に取り外して清掃することができるという作用を有する。
【００２５】
また、請求項７記載の換気装置は、点検口は、給気用送風機により導入された外気が屋内に供給される給気口が配設された化粧パネルとしたことにより、という作用を有する。
【００２６】
また、請求項８記載の換気装置は、化粧パネルの給気口に連通された換気装置本体の開口部を遮蔽板で塞ぎ、給気流路に連通された換気装置本体の側面に設けられた開口部にアダプターを取付けることにより、換気装置本体より離れた位置の給気口から外気を導入する経路をもつことにより、広い空間においても効率的に換気することができるという作用を有する。
【００２７】
また、請求項９記載の換気装置は、換気装置本体より離れた位置の給気口に連通するアダプターに配設された開口部を複数としたことにより、アダプターにダクトを接続することによって、換気装置本体一台で複数の室内に外気を供給する給気経路を持つことができるという作用を有する。
【００２８】
また、請求項１０記載の換気装置は、化粧パネルには排気用送風機により屋内空気を排出する吸込口が配設されており、吸込口には排気用フィルターが設けられていることにより、別途排気口を設ける必要がなく、施工を簡素化することができ、室内空気に混在するホコリ等を排気用フィルターで捕集することができるので、排気用送風機の汚れを防ぐことができる。また、化粧パネルに排気用フィルターが配設されていることにより、排気用フィルターを換気装置本体から取り外すことなく掃除機等で清掃することができるため、容易に排気用フィルターを清掃することができるという作用を有する。
【００２９】
以下、本発明の実施の形態について図面を参照しながら説明する。
【００３０】
（実施の形態１）
図１に示すように、換気装置本体１０は、新鮮な室外の外気の空気を側面の外気給気口１７から給気し、換気装置本体１０の内部の熱交換器５を通って室内給気吹出口１５から室内に供給される給気流路１を備えている。一方、室内の汚染された空気は、室内排気吸込口１６から給気され、熱交換器５を通って室外排気口１８から室外に排気される排気流路２を備えている。このとき、熱交換器５は、排気される空気の熱量を給気される空気に供給する回収の機能を有している。
【００３１】
外気給気口１７から導入される新鮮な室外の外気の空気と室内排気吸込口１６から給気される室内の汚染された空気は、電動機６に同一軸にて連結された給気用送風機３と排気用送風機４によりそれぞれ給気流路１と排気流路２を流れる。熱交換器５は、給気流路１における給気用送風機３の下流側かつ排気流路２における排気用送風機４の上流側に配設され、新鮮な室外の外気の空気は給気用送風機３により熱交換器５に押し込まれる形で室内に供給される。
【００３２】
このように、室内給気吹出口１５の近傍には熱交換器５が配設されているので、電動機６による振動音や給気用送風機３による風切音が低減されて清音化を図ることができる。
【００３３】
新鮮な室外の外気の空気に混入する粉塵・虫などは、外気給気口１７のすぐ下流に設置された補虫フィルター９により捕集され、さらに、花粉などの微細な粉塵は補虫フィルター９の下流側に隣接する給気用フィルター７により捕集される。上流側に配設された捕虫フィルター９により比較的大きなゴミが捕集されるため、給気用フィルター７の目詰まりを低減することができる。
【００３４】
給気フィルター７の中心と給気用送風機オリフィス部３ａの中心は対向した位置に配設されているので、新鮮な室外の外気の空気は給気フィルター７により整流化して給気用送風機オリフィス部３ａに導入されるため外気が給気用送風機３に流入するまでの給気流路１における圧力損失の低減を図ることができる。
【００３５】
一方、室内の汚染された空気に混入する塵埃は、図３に示すように、換気装置本体１０の底面に設置された化粧パネル１３に設けた排気フィルター１４により捕集される。
【００３６】
図２に示すように、外気給気口１７の下流側に隣接された不織布により形成された給気用フィルター７部分は、給気用フィルター７を保持するフィルター枠８にポリエチレン製の５０目の平織りフィルターによって形成された補虫フィルター９が一体成形されており、このフィルター枠８の補虫フィルター９の上流側に補虫フィルター９の横幅より少し長く窪みを形成し、補虫フィルター９により捕集された粉塵・虫などを一時的に溜めておくことができる。また、フィルター枠８の底面には一部リブ８ａが形成されており、換気装置本体１０の下面に設置された点検口より、リブ８ａを指でつまみ換気装置本体の下方にスライドさせて換気装置本体１０から着脱し、給気用フィルター７および捕虫フィルター９を掃除機等で清掃することができる。
【００３７】
フィルター枠８はネジなどにより換気装置本体１０に固定されている。また、フィルター枠８の固定方法としてはフィルター枠８と換気装置本体１０に嵌合部を設け、指で押すことにより着脱可能な構造にすることも可能である。
【００３８】
なお、補虫フィルター９は、一例としてメッシュ間隔４１０μｍ以下の微細なポリエチレン製のネットで構成されており、微細な虫などを確実に捕集することができ、また、ポリエチレン製のネットはポリプロピレン製およびナイロン製と比較し耐候性・耐水性を有している。また、捕虫フィルター９は平織りのフィルターで形成されたことにより空気の圧力損失を低く抑えることができる。
【００３９】
図３に示すように、換気装置本体１０の下面に設置された化粧パネル１３は換気装置本体１０より着脱可能であり、点検口として使用することができる。化粧パネル１３は換気装置本体１０の底面より大きいため、施工時には換気装置本体１０を設置するために開けられた天井に設けられた開口部を覆うことができる。
【００４０】
給気用フィルター７などの清掃時には化粧パネル１３を換気装置本体１０より取り外すことで、給気用フィルター７や熱交換器５をメンテナンスすることができる。また、給気用フィルター７や熱交換器５の下面の化粧パネル１３の一部を着脱可能な構造にすることで同様の効果を得ることができる。
【００４１】
化粧パネル１３には、図３に示すように、室内給気吹出口１５と室内排気吸込口１６が配設されている。室内排気吸込口１６には排気用フィルター１４が取り付けられており、排気用フィルター１４は化粧パネル１３より着脱可能な構造となっている。室内汚染空気に混入する塵埃は排気用フィルター１４で捕集されるため排気用送風機４の汚れを防ぐことができる。排気用フィルター１４は化粧パネル１３に設けられているため、化粧パネル１３を取り外すことなく室内より掃除機等で清掃が可能である。また、排気用フィルター１４を化粧パネル１３より着脱可能な構造とすることで、特に汚れがひどい場合においては清掃時に排気用フィルター１４のみを取り外し、容易に水洗いなどをすることができる。排気用フィルター１４は、補虫フィルター９と同様に５０目の平織りフィルターで形成されている。また、室内汚染空気に混入する粉塵は外気に混入する粉塵より比較的大きなものが多いので、排気用フィルター１４は補虫フィルター９よりは目の粗いフィルターにて代用することも可能である。
【００４２】
室内給気吹出口１５は、化粧パネル１３に複数の風向板１５ａが配設されており、室内に新鮮な室外の外気の空気を供給する際、コールドドラフト感を低減するよう斜め下方向に吹き出す構造となっている。風向板１５ａは、手動もしくはリモコンなどにより角度を変えることができる。
【００４３】
（実施の形態２）
図４に示すように、室内給気吹出口１５を遮蔽板１１により塞ぎ、給気流路１に連通した換気装置本体１０の側面部の一部に開口部を設け、開口部を設けた換気装置本体１０の側面部にアダプター１２を取付け、アダプター１２からダクト（図示せず）を介して別途設置された給気口より換気装置本体１０が設置された場所から離れた位置に給気経路を設けることができ、換気装置本体１０より離れた位置に給気口１９を設けることにより比較的広い居室においても効率的に換気を行うことができる。また、給気口１９のみを別室に設置することにより二室同時に換気することも可能である。
【００４４】
また、図５に示すように、アダプター１２はダクト接続部を複数配設することにより、ダクトを介して複数の部屋に同時に新鮮な室外の外気の空気を供給することも可能である。複数の部屋に外気の空気を供給する際は、排気経路を確保するため換気装置本体１０が設置された部屋に連通するように各部屋のドアにアンダーカットもしくはトップカットを設ける。
【産業上の利用可能性】
【００４５】
本発明にかかる換気装置は、モーターの駆動音や給気用送風機による風切音の室内への漏れを低減させる構造によって、空気調和機等に設けられている室内への騒音の漏れ防止する構造にも適応できる。
【図面の簡単な説明】
【００４６】
【図１】本発明の実施の形態１における換気装置の設置状態を示す断面図
【図２】同換気装置の給気用フィルターの斜視図
【図３】同換気装置の設置状態の斜視図
【図４】本発明の実施の形態２における換気装置の給気用アダプターを取付けた状態を示す構成図
【図５】同換気装置における複数の居室に給気口を設置した状態を示す平面図
【図６】従来の換気装置を示す断面図
【符号の説明】
【００４７】
１    給気流路
２    排気流路
３    給気用送風機
３ａ  給気用送風機オリフィス部
４    排気用送風機
５    熱交換器
６    電動機
７    給気用フィルター
１０  換気装置本体
１１  遮蔽板
１２  アダプター
１３  化粧パネル
１９  給気口
【図１】
2007212073.tif 000003
【図２】
2007212073.tif 000004
【図３】
2007212073.tif 000005
【図４】
2007212073.tif 000006
【図５】
2007212073.tif 000007
【図６】
2007212073.tif 000008